(57)【要約】  人間の片肺の挿管状態を音響的に検出する方法と装置を提供する。一実施例によれば、本発明の方法は、人体の様々な場所に配置された音響センサから受信した電気信号の自己回帰移動平均（ＡＲＭＡ）と自己回帰関数を計算するステップを含む。音響センサの配置場所は、人体の背中または胸部である。本発明の方法と装置は、手術室内のキャセル前のランダム背景雑音に影響されない。本発明の方法と装置により、誤った検出、フォールス・ポジティブとフォールス・ネガティブの相対発生率を修正する。一実施例によれば、同定した最大９％が、フォールス・ポジティブであり、最大２％がフォールス・ネガティブである。
2007531573.tif 000002
【特許請求の範囲】
【請求項１】
人間の片肺の換気状態を検出する方法において、
（ａ）  人体のある領域から放出された自然肺音を、音響センサで、電子的に検出するステップと、
（ｂ）  前記検出された自然肺音を処理するステップにより、片肺換気状態を表す出力を生成するステップと
を有する
ことを特徴とする人間の片肺の換気状態を検出する方法。
【請求項２】
前記（ａ）ステップは、複数の音響センサから、複数の電気信号を受信するステップを含み、
前記少なくとも１個の音響センサは、人体の胸部に配置される
ことを特徴とする請求項１記載の方法。
【請求項３】
前記（ａ）ステップは、複数の音響センサから、複数の電気信号を受信するステップを含み、
前記少なくとも１個の音響センサは、人体の背中に配置される
ことを特徴とする請求項１記載の方法。
【請求項４】
前記（ａ）ステップは、複数の音響センサから、複数の電気信号を受信するステップを含み、
前記少なくとも１個の音響センサは、人体の背中と胸部の一方に配置される
ことを特徴とする請求項１記載の方法。
【請求項５】
前記（ａ）ステップは、複数の音響センサから、複数の電気信号を受信するステップを含み、
前記（ｂ）ステップの処理するステップは、前記電気信号と、前記電気信号の披瀝と電気信号の将来挙動の少なくとも一方との間の関係を表すパラメータを計算するステップを含む
ことを特徴とする請求項１記載の方法。
【請求項６】
前記（ｂ）ステップの処理するステップは、前記電気信号と、前記電気信号の披瀝と電気信号の将来挙動の少なくとも一方との間の関係を表すパラメータを計算するステップを含む
ことを特徴とする請求項３記載の方法。
【請求項７】
前記（ｂ）ステップの処理するステップは、第１時間ウインドウの間の電気信号と、第２時間ウインドウの間の電気信号との間の関係を表すパラメータを計算するステップを含み、
前記第１時間ウインドウと第２時間ウインドウは、オーバーラップする
ことを特徴とする請求項５または６記載の方法。
【請求項８】
前記第１時間ウインドウと第２時間ウインドウとは、少なくとも１秒間オーバーラップする
ことを特徴とする請求項７記載の方法。
【請求項９】
前記第１時間ウインドウと第２時間ウインドウとは、少なくとも２秒間オーバーラップする
ことを特徴とする請求項８記載の方法。
【請求項１０】
前記（ａ）ステップは、複数の音響センサから、複数の電気信号を受信するステップを含み、
前記（ｂ）ステップの処理するステップは、第１音響センサの第１電気信号と、前記第１音響センサの第１電気信号の披瀝と前記第１音響センサの第１電気信号の将来挙動の少なくとも一方との間の関係を表すパラメータを計算するステップを含む
ことを特徴とする請求項１記載の方法。
【請求項１１】
前記第１音響センサは、人体の胸部に配置される
ことを特徴とする請求項１０記載の方法。
【請求項１２】
前記第１音響センサは、人体の背中に配置される
ことを特徴とする請求項１０記載の方法。
【請求項１３】
前記関係は、条件付き確率関係を表す
ことを特徴とする請求項５または１０記載の方法。
【請求項１４】
前記（ｂ）ステップの処理するステップは、前記条件付き確率関係の共分散マトリックスに関連するパラメータを計算するステップを含む
ことを特徴とする請求項１３記載の方法。
【請求項１５】
前記（ｂ）ステップの処理するステップは、前記共分散マトリックスの少なくとも１個の固有値を計算するステップを含む
ことを特徴とする請求項１３記載の方法。
【請求項１６】
前記固有値の低い方の値は、前記片肺換気状態を表す
ことを特徴とする請求項１５記載の方法。
【請求項１７】
前記（ｂ）ステップの処理するステップは、前記自然肺音の空間統計値と時間統計値からなるグループから選択された少なくとも１つの統計値を表すパラメータを獲得するステップを含む
ことを特徴とする請求項１記載の方法。
【請求項１８】
前記統計値の偏差値は、挿管状態の変化を表す
ことを特徴とする請求項１７記載の方法。
【請求項１９】
前記（ｂ）ステップの処理するステップは、前記自然肺音の複数の分散ランダム音源を決定するステップを含む
ことを特徴とする請求項１記載の方法。
【請求項２０】
前記（ｂ）ステップの処理するステップは、前記自然肺音の１つの分散ランダム音源を決定するステップを含む
ことを特徴とする請求項１９記載の方法。
【請求項２１】
前記（ｂ）ステップの処理するステップは、雑音源の散乱を表す雑音散乱パラメータを決定するステップを含む
ことを特徴とする請求項１記載の方法。
【請求項２２】
前記（ａ）ステップは、電気信号を生成するステップを含み、
前記（ｂ）ステップの処理するステップは、前記電気信号の自己回帰移動平均（ＡＲＭＡ）の予測値を計算するステップを含む
ことを特徴とする請求項１記載の方法。
【請求項２３】
前記（ａ）ステップは、電気信号を生成するステップを含み、
前記（ｂ）ステップの処理するステップは、前記電気信号の自己回帰関数の予測値を計算するステップを含む
ことを特徴とする請求項１記載の方法。
【請求項２４】
人間の片肺の換気状態を検出する方法において、
（ａ）  人体のある領域から放出された自然肺音を含む雑音を電子的に検出するステップと、
（ｂ）  前記検出された自然肺音を、手術室内のキャセル前のランダム背景雑音に影響されない方法で、処理するステップにより、片肺換気状態を表す出力を生成するステップと
を有する
ことを特徴とする人間の片肺の換気状態を検出する方法。
【請求項２５】
前記キャンセル前のランダム背景雑音は、少なくとも７０ｄＢの雑音を含む
ことを特徴とする請求項２４記載の方法。
【請求項２６】
前記（ａ）ステップは、肺音以外の雑音を検出するステップを含み、
前記（ｂ）ステップの処理するステップは、雑音をフィルタ処理するアダプティブ・フィルタリング技術を用いる
ことを特徴とする請求項２４記載の方法。
【請求項２７】
（ａ）  有意の統計結果を得るために、十分大きな大母集団の人間を選択するステップと、
（ｂ）  前記大母集団の内の小集団内の片肺挿管状態を同定するステップと
を有し、
前記同定のうちの誤った同定は、最大９．６％である
ことを特徴とする方法。
【請求項２８】
（ａ）  有意の統計結果を得るために、十分大きな大母集団の人間を選択するステップと、
（ｂ）  前記大母集団の内の小集団内の片肺挿管状態を同定するステップと
を有し、
前記同定の内のフォールス・ポジティブ同定は、最大４．８％であり、
前記同定の内のフォールス・ネガティブ同定は、最大４．８％である
ことを特徴とする方法。
【請求項２９】
（ａ）  有意の統計結果を得るために、十分大きな大母集団の人間を選択するステップと、
（ｂ）  前記大母集団の内の小集団内の片肺挿管状態を同定するステップと
を有し、
前記同定の内のフォールス・ポジティブ同定は、最大９％であり、
前記同定の内のフォールス・ネガティブ同定は、最大２％である
ことを特徴とする方法。
【請求項３０】
人間の片肺の換気状態を検出する装置において、
（ａ）  人体のある領域から放出された自然肺音を、電子的に検出する複数の音響センサと、
（ｂ）  片肺換気状態を表す出力を生成するために、前記音響センサから受信した電気信号を処理する処理ユニットと
を有する
ことを特徴とする人間の片肺の換気状態を検出する装置。
【請求項３１】
前記処理ユニットは
前記同定の内のフォールス・ポジティブ同定は、最大９％であり、
前記同定の内のフォールス・ネガティブ同定は、最大２％である
よう適合される
ことを特徴とする請求項３０記載の装置。
【請求項３２】
前記処理ユニットは
前記同定の内のフォールス・ポジティブ同定は、最大４．５％であり、
前記同定の内のフォールス・ネガティブ同定は、最大４．５％である
よう適合される
ことを特徴とする請求項３０記載の装置。
【請求項３３】
前記処理ユニットは、手術室内のキャセル前のランダム背景雑音に影響されない方法で、出力を生成する
ことを特徴とする請求項３０記載の装置。
【発明の詳細な説明】
【技術分野】
【０００１】
本発明は、肺換気している患者の片肺挿管を音響的に検出する装置に関する。
【背景技術】
【０００２】
全身麻酔の間、適正な空気通路管理のために、気管内チューブが患者の気管内に挿入され、それを介して、患者の肺が換気される。チューブは、主誘導（primary induction）の間に挿入され、チューブの先端がカリーナ（carina）（気管が２本の気管支に分かれる分岐点）の上方にくるよう、配置される。チューブの先端の配置位置は重要である。先端は、分岐点上方に配置／維持しなければならない。チューブ（そこを介して両肺が換気される）の正確な配置は、気管挿管（Tracheal Intubation (TRI)）と称する。仮にチューブが誤った場所に配置されたり、あるいは患者が動くことによりずれた時には、片肺挿管（One Lung Intubation (OLI)）が起こる。ＯＬＩの状態が長引くことは避けなければならない。その理由は、十分な酸素が供給されなくなり、換気されていない肺に損傷を与えることがあるからである。ＯＬＩは、麻酔中に、酸素の不十分な供給及び誤動作の原因とみなされており、ＯＬＩの状態を検出する信頼性のある方法と装置は、今のところ存在しない。
【０００３】
聴診器、カノグラフ（capnograph）等を含む片肺挿管を検出する現在公知の方法も信頼性がない。パルス酸素濃度計（pulse oximetry）が、最も信頼できる公知の方法であるが、結果を得るには２−５分かかり、この遅れは損傷を回避するには長すぎる。現在、リアルタイムで片肺挿管を検出する方法と装置に対する医学的な必要性は高まっている。
【０００４】
【非特許文献１】Sod-Moriah G., Gelber O., Gurman G. and Cohen A. “Monitoring of Separate Lung Ventilation in Anesthesia and Intensive Care,” Proc. of the IEEE 18th convention of electrical and electronics engineers in Israel, Tel-Aviv, March 7-8, 1995
【非特許文献２】SodMoriah G., Cohen A. and Gurman G., “Detection of One Lung Intubation Incidents in General Anesthesia and Intensive Care,” Proc. of the 13th Int. Conf. BIOSIGNAL 96, pp.282-284, Brno, Czech Republic, 1996
【非特許文献３】a poster presentation Gurman et al., “Continuous Monitoring of Separate Lung Ventilation” ASA annual Meeting Orland Florida October 12-16 2002 provides potentially relevant background art
【非特許文献４】R. K. Webb, J. H. van Walt, W. B. Runciman, J. A. Williamson et. al., "Which monitor? An analysis of 2000 incident reports," Anesthesia and Intensive Care, vol. 21, pp. 529-542, 1993
【非特許文献５】W. B. Runciman, R. K. Webb, L. Barker and M. Currie, "The pulse oximeter: applications and limitations - An analysis of 2000 incident Reports," Anesthesia and Intensive Care, vol. 21, pp. 543-550, 1993
【非特許文献６】T. A. Webster, "Now that we have pulse oximeters and capnographs, we don't need precordial and esophageal stethoscope," J. of Clinical Monitoring, vol. 3, pp. 191-192, 1987
【非特許文献７】A. Cohen and D. Landsberg, "Analysis and automatic classification of breathing sounds," IEEE trans. vol. BME-31, pp. 585-590, 1984
【非特許文献８】A. Cohen and A. Berstein, "Acoustic transmission of the respiratory system using speech stimulation," IEEE trans. on Biomedical Engineering, vol. 38, pp.126-132, 1992
【非特許文献９】G. Sod-Moriah, A. Cohen and G. Gurman, "Detection of one lung intubation incidents in general anesthesia and intensive case," Proc. of the 13th Int. Conf. BIOSIGNAL 96, pp. 282-284, Brno, Czech Republic, 1996
【非特許文献１０】A. David, T. Lazmi, Detection of one-lung intubation, Final Project Report, Ben-Gurion University of the Negev, Department of Electrical and Computer Engineering, Beer-Sheva, Israel, August 2003
【非特許文献１１】G. R. Wodicka, H. L. Golub, "A model of acoustic transmission in the respiratory system," IEEE Trans. on Biomedical Engineering, vol. 36, No. 9, pp. 925-934, September 1989
【非特許文献１２】V.K. Iyer, P. A. Rammoorthy and Y. Ploysongsang, "Autoregressive modeling of lung sounds: characterization of source and transmission," IEEE Trans. on BIomedical Engineering, vol. 36, No. 11, pp. 1133-1137, November 1989
【非特許文献１３】H. Akiake, "A new look at the statistical model identification," IEEE Trans. Automat. Contr. vol. AC-19, pp. 716-723, 1974
【非特許文献１４】H. Akiake, "Information theory and an extension of the maximum likelihood principle," Proc. 2nd Int. Symp. Inform. Theory, Suppl. Problems of Control and Inform. Theory 1973, pp. 267-281, 1973
【非特許文献１５】G. Schwartz, "Estimating the dimention of a model," Ann. Stat., vol. 6, pp. 461-464, 1978
【非特許文献１６】J. Rissanen, "Modeling by shortest data description," Automatica, Vol. 14, pp. 465-471, 1978
【非特許文献１７】S. Kay, "Fundamentals of Statistical Signal Processing, Volume 2", Prentice Hall, 1998
【非特許文献１８】M. Wax and T. Kailath, "Detection of signals by information theoretic criteria," IEEE Trans. Acoust. Speech, Signal Processing, Vol. ASSP-33, pp. 387-392, 1985
【特許文献１】米国特許第２００３／００１８２７６号明細書
【０００５】
特許文献１は、呼吸音を電子的に検出することにより、気管内チューブの人体内の位置を検出するのに用いられるシステムと方法を開示する。しかしここに開示された結果を再現するのに必要な十分詳細な記載はない。
【発明の開示】
【発明が解決しようとする課題】
【０００６】
肺換気をしている患者の片肺挿管状態を信頼性高く検出する装置と方法に対する医学的ニーズがある。この方法と装置は、手術室あるいは集中治療室の背景ノイズの存在下でも動作できるのが望ましい。
【課題を解決するための手段】
【０００７】
本発明によれば、人間の片肺の換気状態を検出する方法において、
（ａ）  電気信号を生成するために、人体のある領域から放出された自然肺音を、音響センサで、検出するステップと、
（ｂ）  前記検出された自然肺音を処理するステップにより、片肺換気状態を表す出力を生成するステップと
を有する
ことを特徴とする人間の片肺の換気状態を検出する方法を開示している。
【０００８】
本発明の一実施例のプロセスは、電気信号の自己回帰移動平均（antoregressive moving average (ARMA)）または自己回帰モデル（autoregressive model）を計算するステップを含む。
【０００９】
人体は、均一な媒体から構成されておらず、様々な成分（組織）からなる。局部的音響特性は、さまざまな種類の組織毎に変わる。かくして、音源（例えば肺）により生成されるノイズは、ノイズが人体内を伝搬する間、ある程度分散する。音源により生成され人体内を伝搬する特定ノイズの一部が、人体の表面上に取り付けられた検出器に、時間的にバラバラに到達する。それ故に、肺から発生し測定されたノイズ信号と、測定されたノイズ信号の披瀝との間には、相関があることが分かった。
【００１０】
かくして、非線形モデルあるいは線形モデル、例えば自己回帰移動平均(ARMA)モデルあるいは自己回帰モデルが、音源ノイズ信号の合理的な表示を提供し、検出された肺音は、挿管が一方の肺に行われた（片肺挿管状態）か、あるいは挿管が両方の肺に行われ（片肺挿管状態）かを決定するのに役立つ。
【００１１】
本発明の一実施例によれば、本発明の方法は、片肺挿管状態を検出するために、自然肺音（indigenous lung sounds）の分散した活性雑音源の数、あるいは分散したランダム・雑音源の数を決定するステップを含む。分散した活性雑音源を１つ検出したことは、ＯＬＩを意味し、分散した活性雑音源を２つ検出したことは、ＴＲＩを意味する。本発明の一実施例においては、検出は、ＢＳＳ（Blind Source Separation）の一般的アプローチで行われる。ＢＳＳの従来開示された方法とは異なり、本発明の方法は、分散した雑音源により生成された実信号（actual signal）の決定を必要としない。さらに、本発明の方法は、あらゆる分散した雑音源に対し、適切なものである。
【００１２】
本発明の方法は、前記した技術に限定されるものではない。測定された肺音のノイズからの分散した雑音源の空間統計値のいずれかあるいは一部を、獲得するあるいは再現する従来公知のいかなる技術も、本発明に適したものである。本発明の一実施例によれば、肺音の処理は、肺音のノイズの空間統計値を得るために、ニューラル・ネットワークを使用するステップを含む。本発明の一実施例においては、肺音の処理は、肺音の線形あるいは非線形のモデル（例えば隠れマルコフ・モデル(HMM)）を含む。本発明の一実施例においては、肺音の処理は、高次統計値を用いた、ＢＤ（Blind Deconvolution）とシステム同定を含む。
【００１３】
本発明によれば、人間の片肺の換気状態を検出する方法において、
（ａ）  人体のある領域から放出された自然肺音を、音響センサで、電子的に検出するステップと、
（ｂ）  前記検出された自然肺音を処理するステップにより、片肺換気状態を表す出力を生成するステップと
を有する
ことを特徴とする人間の片肺の換気状態を検出する方法を開示している。
【００１４】
本発明の一実施例によれば、前記（ａ）の検出するステップは、複数の音響センサから、複数の電気信号を受信するステップを含み、前記少なくとも１個の音響センサは、人体の背中と胸部の一方に配置される。模範的な例として、音響センサの位置は、胸部の左側、胸部の右側、背中の左側、背中の右側を含む。
【００１５】
本発明の一実施例によれば、前記（ｂ）の生成するステップの処理するステップは、背中に配置された音響センサから電気信号をだけを処理する。本発明の一実施例によれば、前記（ｂ）の生成するステップの処理するステップは、胸部に配置された音響センサから電気信号だけを処理する。
【００１６】
前述したように、局部的な音響特性は、組織のさまざまな種類によって異なり、これが肺音のマルチパス伝搬となる。検出された音は、畳み込み混合体（Convolutive Mixture）として記述することができ、そして畳み込みモデル（Convolutive Model）としてモデル化できる。かくして、検出された信号はメモリを有すると言える。
【００１７】
本発明の一実施例によれば、前記（ａ）の検出するステップは、複数の音響センサから、複数の電気信号を受信するステップを含み、前記（ｂ）の生成するステップの処理するステップは、受信した電気信号と、この受信した電気信号の披瀝および／または将来挙動との間の関係を表すパラメータを計算するステップを含む。この実施例においては、別の電気信号が各音響センサから受信され、このパラメータが、受信した複数の電気信号のいずれかを受信した電気信号と同一あるいは別の受信した電気信号の披瀝および／または将来挙動に関連付ける。
【００１８】
本発明の一実施例によれば、前記（ｂ）の生成するステップの処理するステップは、受信信号と、この受信信号の披瀝と電気信号の将来挙動の少なくとも一方との間の関係を表すパラメータを計算するステップを含む。
【００１９】
本発明の一実施例によれば、前記パラメータは、複数の音響センサ内の第１の音響センサからの電気信号と、同一の第１の音響センサからの電気信号の披瀝および／または将来挙動との間の関係を表す。
【００２０】
本発明の一実施例によれば、前記（ｂ）ステップの処理するステップは、第１時間ウインドウの間の受信電気信号と、第２時間ウインドウの間の受信電気信号との間の関係を表すパラメータを計算するステップを含み、前記第１時間ウインドウと第２時間ウインドウは、オーバーラップする。
【００２１】
本発明の一実施例によれば、前記第１時間ウインドウと第２時間ウインドウとは、少なくとも０．５秒間オーバーラップする。別の構成として、前記第１時間ウインドウと第２時間ウインドウとは、少なくとも０．７５秒間オーバーラップする。別の構成として、前記第１時間ウインドウと第２時間ウインドウとは、少なくとも１秒間オーバーラップする。別の構成として、前記第１時間ウインドウと第２時間ウインドウとは、少なくとも１．５秒間オーバーラップする。別の構成として、前記第１時間ウインドウと第２時間ウインドウとは、少なくとも２秒間オーバーラップする。
【００２２】
タイム・ウインドウのオーバーラップは、選択的特徴事項であり、本発明の一実施例においては、解析したタイム・ウインドウの間ではオーバーラップはない。
【００２３】
本発明の一実施例においては、受信した電気信号と受信した電気信号の披瀝との間の関係を表すパラメータを、複数回にわたって計算する。
【００２４】
本発明の一実施例においては、この関係は、条件付き確率関係（conditional probability relation）、例えば将来の信号は現在の信号の形態から与えられる形態を採る条件付き確率を表す。
【００２５】
本発明の一実施例によれば、前記（ｂ）ステップの処理するステップは、前記条件付き確率関係の共分散マトリックスに関連するパラメータを計算するステップを含む。ある実施例においては、この共分散マトリックスは、残差共分散マトリックスである。
【００２６】
片肺換気状態を表す代表的なパラメータは、残差共分散マトリックス（residual covariance matrix）の固有値の大きさである。片肺挿管を検出する特定の固有値を選択することは、採用される音響センサの数に依存する。残差共分散マトリックスの固有値の値が低いことは、片肺換気状態を表す。
【００２７】
本発明の一実施例は、ＢＳＳ（Blind Source Separation）の技術に関し、元の送信された肺音の再生は、本発明の必須要件ではない。本発明の一実施例によれば、本発明の処理は、前記自然肺音の分散雑音源の数のみを決定する。
【００２８】
しかし、本発明の一実施例においては、元の送信された肺音の予測値が得られる。
【００２９】
本発明の一実施例においては、本発明の処理は、自然肺音の空間統計値を表すパラメータを得る。
【００３０】
本発明の一実施例においては、自然肺音の空間統計値および／または時間統計値を時間をかけて監視する。肺音の空間統計値の偏差値は、挿管状態の変化、例えばＴＲＩからＯＬＩへの変化を表す。本発明の一実施例においては、肺音の空間統計値は、既知のＴＲＩの時間帯、例えばシステムをトレーニングするため外科手術の開始時に得られる。片肺換気状態の存否を検出しようとする後の時間帯において、その時間帯の肺音の空間統計値を、既知のＴＲＩの時間帯の間の値と比較する。
【００３１】
本発明の一実施例によれば、本発明の処理は、雑音源の散乱（空間的分散）を表す音源分散パラメータを決定するステップを含む。より散乱したインコヒーレントのポイント・雑音源は、ＴＲＩをより表すことになり、一方、あまり散乱していない雑音源は、残差共分散マトリックスの小さな第２固有値により、明らかとなる。
【００３２】
本発明により行われた実験においては、人間の片肺換気状態は、手術室内あるいは集中治療室内の相殺されていないランダムな背景ノイズの基で、決定される。ある種の背景ノイズは、単純なフィルタリングあるいは適用型ノイズ・キャンセリングのような技術を用いて取り除くことができるが、本発明の方法と装置は、このような技術の使用を排除するものではなく、特にノイズが上記の技術を用いて処理されない場合は、あらゆるランダム背景ノイズが必ずしも取り除かれるわけではない。本発明は、手術室内あるいは集中治療室内の除去されていないランダムな背景ノイズの存在下においても、片肺換気状態を検出する方法と装置を提供できる。
【００３３】
本発明の一実施例においては、本発明の処理するステップは、前記検出された自然肺音を、手術室内のキャセル前のランダム背景雑音に影響されない方法で処理するを含む。
【００３４】
本発明の一実施例においては、前記キャンセル前のランダム背景雑音は、少なくとも７０ｄＢの雑音を、あるいは少なくとも７５ｄＢの雑音を、あるいは少なくとも８０ｄＢの雑音を含む。
【００３５】
任意選択として、本発明の検出するステップは、肺音以外の雑音を検出するステップを含み、本発明の処理するステップは、雑音をフィルタ処理するアダプティブ・フィルタリング技術を用いる。
【００３６】
本発明の一実施例においては、片肺挿管状態を表す特定のパラメータを計算し、この計算されたパラメータの値が所定のしきい値以下になった時、あるいは以上になった時に、片肺挿管状態を表す出力信号が生成される。かくして、この所定のしきい値を調整することにより、間違い警報の発生率、誤って正常状態と判定する率、看過したＯＬＩ状態の発生率、謝って異常状態と判断する率を、誤差補償カーブに応じて、変化させた装置を構成できる。
【００３７】
例えば、本発明の一実施例においては、計算されたパラメータの値が小さくなったことは、片肺挿管状態を表す。かくして、所定のしきい値を上げることにより、片肺挿管の事例は見過ごされることが少なくなり、フォールス・ネガティブ（正常状態を誤って異常と判断すること）の発生率も少なくなるが、同時に、装置は、間違い警報即ちフォールス・ポジティブ（異常状態を誤って正常と判断すること）の発生率が多くなる。
【００３８】
かくして、本発明の一実施例においては、本発明の処理ユニットは、ＯＬＩの同定のうちのフォールス・ポジティブ同定が最大９．６％になるよう、また前記同定にうちのフォールス・ネガティブ同定が最大２％になるよう構成される。
【００３９】
別の構成として、本発明の処理ユニットは、ＯＬＩの同定のうちのフォールス・ポジティブ同定が最大４．５％になるよう、また前記同定にうちのフォールス・ネガティブ同定が最大４．５％になるよう構成される。
【００４０】
本発明によれば、
（ａ）  有意の統計結果を得るために、十分大きな大母集団の人間を選択するステップと、
（ｂ）  前記大母集団の内の小集団内の片肺挿管状態を同定するステップと
を有し、
前記同定のうちの誤った同定は、最大９．６％である
ことを特徴とする方法を開示している。
【００４１】
本発明によれば、
（ａ）  有意の統計結果を得るために、十分大きな大母集団の人間を選択するステップと、
（ｂ）  前記大母集団の内の小集団内の片肺挿管状態を同定するステップと
を有し、
前記同定の内のフォールス・ポジティブ同定は、最大４．８％であり、
前記同定の内のフォールス・ネガティブ同定は、最大４．８％である
ことを特徴とする方法を開示している。
【００４２】
本発明によれば、
（ａ）  有意の統計結果を得るために、十分大きな大母集団の人間を選択するステップと、
（ｂ）  前記大母集団の内の小集団内の片肺挿管状態を同定するステップと
を有し、
前記同定の内のフォールス・ポジティブ同定は、最大９％であり、
前記同定の内のフォールス・ネガティブ同定は、最大２％である
ことを特徴とする方法を開示している。
【００４３】
本発明の一実施例においては、統計的に有意の結果を出すために、十分な大きさの母集団は少なくとも２０人である。別の構成として、母集団は少なくとも５０人である。さらに別の構成として、母集団は少なくとも２００人、さらに別の構成として、母集団は少なくとも１０００人である。
【実施例】
【００４４】
本発明の一実施例により、検出された音響信号のある自己回帰関数を計算することにより、片肺挿管状態の検出が可能となることが見出された。これは、手術室内及び集中治療室内の背景ノイズの存在があっても可能である。特に、換気された肺の数を、記録された呼吸音から検出するアルゴリズムが本発明により開発された。本発明の一実施例によれば、このアルゴリズムは、ＭＩＭＯ（多入力多出力（Multiple Input Multiple Output））を仮定し、このシステムにおいては、多次元ＡＲ（自己回帰（Auto-Regressive））モデルは入力（肺）と出力（記録された音）に関連する。未知のＡＲパラメータを予測し、残差共分散マトリックスの予測された固有値に基づいた検出器が開発され、これにより片肺換気状態の検出が可能となる。
【００４５】
ここに示した実施例においては、複数の雑音源が、ある測定基準（例えばAkaike Information Criterion (AIC)又はMinimum Description Length (MDL)）を用いて、予測できる。これらの測定基準は、雑音源に対しいくつかの仮定を置いている。ところが、現在の問題ポイントはこれらの仮定に従うことはなく、その最も悪いポイントは、コヒーレントな分散雑音源の仮定である。肺は点音源ではなく、拡散した音源であるだからである。
【００４６】
コヒーレントな分散音源の仮定の下では、残差共分散マトリックスの大きな固有値は複数の音源に対応し、小さな固有値は分散ノイズに対応する。分散したインコヒーレントな音源の場合には、これら２つの固有値間の区別ははっきりとしない。そこで、しきい値方法を用いて音源の数を予測する。
【００４７】
本発明の一実施例においては、このアルゴリズムは、ＢＳＳ（Blind Source Separation）モデルから得られるが、ここに開示したアルゴリズムは、活性状態にある音源（即ち肺）の数のみを予測し、音源信号そのものの予測値を必要としない。音源信号は、患者の胸あるいは背中からセンサに伝搬される。これらは、伝送チャネルに対し非線形であるが、本発明者は、線形伝搬チャネルを仮定することは、片肺挿管の検出のため有効に機能する。さらに、線形チャネルの最も一般的な考慮は、極とゼロを有するＡＲＭＡ（自己回帰移動平均（Auto Regressive Moving Average））である。ポールのみを有する低い高次のＡＲ（自己回帰（Auto Regressive））は、ＡＲＭＡモデルに対する近似を与える。本発明の一実施例によれば、ＡＲモデルは片肺挿管の検出用に有効に機能することが見出された。
【００４８】
本発明の方法は、あらゆる分散雑音源に適したものである。本発明の一実施例においては、「分散雑音源」は、少なくとも７５ｃｍ２の領域に分散したポイント・雑音源群からなる。本発明の方法は、あらゆる分散雑音源に適したものである。本発明のさらなる実施例においては、「分散雑音源」は、少なくとも２００ｃｍ２の領域に分散したポイント・雑音源群からなる。本発明のさらなる一実施例においては、「分散雑音源」は、少なくとも４００ｃｍ２の領域に分散したポイント・雑音源群からなる。
【００４９】
本発明の一実施例おいては、自然肺音の空間統計値及び／または時間統計値が計算される。計算される空間統計値の一例は、さまざまなセンサの処理間でのクロス／ジョイント共分散マトリックスあるいはクロス／ジョイント・スペクトラムである。別の構成として、計算される空間統計値の一例は、２次を超える如何なる次元のクロス／ジョイント累積値（cumulant）あるいはクロス／ジョイント高次スペクトラムである。別の構成として、さまざまな音源で測定処理されるジョイント確率密度関数である。
【００５０】
実験例１．モデルの形成
この実施例においては、呼吸音信号を患者の背中に取り付けた４個のマイクで記録する。右側と左側で記録された音の振幅を比較することにより、ＯＬＩを検出する試みは信頼できる方法ではなかった。その理由は、複数のマイクロホンの１つが、両方の肺で発生した音を記録してしまうからである。この問題を解決するために、畳み込み混合モデル法（convolutive mixture model approach）が提示された。この実施例においては、肺とマイクロホンに関連するＡＲモデルを仮定する。このＡＲモデルが選択されたのは、それが音声とオーディオ処理のアプリケーションで通常使用され、その計算がそれほど複雑ではないからである。このモデルにおいては、各換気された肺が音源を表す。本発明の目的は、センサにより受信した信号から、片肺のみが換気している状態を検出することである。換気された肺により生成された信号は、独立していると仮定する。図１において、x[n]は音源（肺）を表し、y[n]はセンサ（マイクロホン）を表す測定装置である。
【００５１】
ここで、Ｋは音源（肺）の数を、Ｌはセンサ（マイクロホン）の数を表すものとする（Ｋ＜Ｌ）。それ故に、音源信号のベクトルx[n]は、Ｋ×１ベクトルとして次式で定義される。
ｘ［ｎ］＝［ｘ１［ｎ］  ｘ２［ｎ］  ・・・  ｘＫ［ｎ］］Ｔ      （１）
Ｌ×１の測定ベクトルは、次式で定義される。
ｙ［ｎ］＝［ｙ１［ｎ］  ｙ２［ｎ］  ・・・  ｙＬ［ｎ］］Ｔ      （２）
音源信号と測定値との間の関係は、ＭＩＭＯ−ＡＲモデルで与えられると仮定する。
ｙ［ｎ］＝Ａｙ（Ｍ）［ｎ］＋Ｃｘ［ｎ］＋ｅ［ｎ］，              （３）
ここで、y(M)[n]は、ＭＬ×１ベクトルで、次式で適宜される。
【数１】
2007531573.tif 000003
（４）
yi(M)[n]は、ＭＬ×１ベクトルで、ｉ番目のセンサのサンプルＭまでの過去の値yi[n]を含む。
【数２】
2007531573.tif 000004
（５）
Ａは、Ｌ×ＭＬマトリックスで、次式で定義される。
【数３】
2007531573.tif 000005
（６）
ここで、ａｉｊは、Ｍ×１ベクトルで、ｊ番目のセンサの過去の値yj[n-1],…yj[n-M]とｉ番目のセンサのサンプル値yi[n]とを関連付ける。Ｃは、Ｌ×Ｋのマトリックスで、そのｉ，ｊ番目の要素は、音源ｊとセンサｉのサンプルに関連する。e[n]は、追加的ホワイト・ノイズを表すＬ×１ベクトルである。ノイズ信号と音源信号は、独立したゼロ平均のガウス分布で、それぞれ共分散マトリックスがσ２ＩとＩであると仮定する。この最後の仮定は、一般性を損なうことなく採用できるが、その理由は、音源の共分散は、マトリックスＣにより決定され、これは数式（３）から明らかである。その結果、y[n]|y(M)[n]の条件付き分布は、ガウス分布y[n]|y(M)[n]~N(Ay(M)[n],R)である。ここでＲは次式で定義される。
Ｒ＝ＣＣＴ＋σ２Ｉ      （７）
【００５２】
未知のパラメータＡ、Ｒ、Ｍ、Ｋは、Ｎ個の側定値y[1],…,y[N]の組から予測しなければならない。全ての初期条件はゼロであると過程する。すなわち、ｎ＜０で、e[n], x[n] = 0。入力信号とノイズ信号は、一定（stationary）であると仮定する。実際に、Ｋ、すなわち音源（肺）の数の正確な予測が、ＯＬＩ検出にとってカギとなる。
【００５３】
実験例２．ＭＬ予測器
音源の数Ｋを決定するために、データのＮ個のサンプルy[1],…,y[N]から未知のマトリックスＡとＲを予測する必要がある。このために、最大尤度（Maximum-Likelihood (ML)）予測器が用いられる。マトリックスＡとＲのＭＬ予測器は、次の未知のマトリックスが与えられた場合、出力サンプルの条件付き確率密度関数（conditional probability density function (pdf)）の対数を最大にすることにより得られる。
【数４】
2007531573.tif 000006
（８）
【００５４】
ログ尤度関数（log-likelihood function）は、マトリックスＡとＲに関するその導関数を等しくし、得られた２つのマトリックスの式を解くことにより、最大にできる。このプロセスにより次式が得られる。その証明は、段落００７７を参照のこと。
【数５】
2007531573.tif 000007
（９ａ）
（９ｂ）
【００５５】
情報理論基準（非特許文献１４−１７）に基づいたモデル・オーダ選択方法を使用することは、モデル・オーダＭと音源の数Ｋを予測するために、自然な方法なように見える。この方法は、我々の研究中に開発されテストされたが、実際の呼吸音信号に適用した場合には、信頼性のある結果を示すことはなかった。それ故に、一般化した尤度比率テスト（Generalized Likelihood Ratio Test）に基づいた方法を開発しテストしたが、それを次に示す。
【００５６】
実験例３．一般化した尤度比率テスト
肺を音源とした本発明の場合には、音源の数は１個または２個である。それ故に、ＴＲＩケースとＯＬＩケースとの間を決定するために、ＧＬＲＴが用いられる（非特許文献１８）。このテストは、各仮定の下での確率密度関数の間の比率に基づくが、一方最大尤度予測器（maximum likelihood estimator）を用いて、各仮定の下で未知のパラメータを予測する。
Ｈ１：システムに対し、１個の音源のみが存在する（ＯＬＩの場合、Ｋ＝１）
Ｈ２：システムに対し、２個の音源が存在する    （ＴＲＩの場合、Ｋ＝２）
【００５７】
ｉ番目の仮定の下で、ログ尤度関数（log-likelihood function）の展開により、次式が得られる（ここで、ノイズ偏差σ２は既知であると仮定する）。
【数６】
2007531573.tif 000008
（１０）
ここで、式７は、式８の２つの最高固有値である。Ｌはセンサの数である（証明は、段落００７８を参照のこと）。
【数７】
2007531573.tif 000009
【数８】
2007531573.tif 000010
その結果、Ｈ１かＨ２かを決定するＧＬＲＴは、次式となる。
【数９】
2007531573.tif 000011
（１１）
【００５８】
式（１１）から明らかなように、Ｒの第２の最大固有値は、ＯＬＩ状況の実際の検出器であるが、これは、σ２が既知で、音源が点音源であることを仮定している。次に述べる以下のシミュレーションの結果は、コヒーレントとインコヒーレントの分散音源を仮定して、提案されたディテクタの性能を示し、最後の仮定は肺の音源に対するより正確なモデルである。
【００５９】
実験例４．シミュレーション結果
１．ヒーレント音源
予測器の性能をモデルのパラメータの関数として評価するために、合成データによるシミュレーションを実行した。式（３）で規定されたＭＩＭＯ−ＡＲシステムをシミュレートし、ＲとＡのＭＬ予測器が、式（９）に従って計算された。このシミュレーションにおいては、システムのパラメータは、次の通りである。音源の数はＫ＝２で、ＡＲオーダを持った音源の数はＬ＝４で、Ｍ＝５で、ノイズの偏差、σ２＝１である。マトリックスＣは次のように選択された。
【数１０】
2007531573.tif 000012
マトリックスＡは、単位サークル内でシステム・ポールを表し、安定するよう選択された。マトリックスＡとＲのＭＬ予測器のシミュレーション結果が見出された。
【００６０】
独立したサンプル数Ｎの関数としてのＧＬＲＴの挙動が検査された。第２の最高固有値ｌ２が抽出され、ノイズレベルのしきい値σ２と比較された。各Ｎに対して、Ｊ＝１０００の繰り返しが実行され、Ｋのエラー確率が次のように定義された。
Ｐｅ＝間違って予測されたＫの数／Ｊ                          （１２）
【００６１】
図２は、エラー確率Ｐｅを、サンプル数Ｎの関数として示す。エラー確率は、サンプル数が増えるに従って減少する。この事実は、音源がコヒーレントの時には、ノイズレベルのしきい値を使用することが正しいことを、証明している。
【００６２】
２．インコヒーレントの分散音源シミュレーション結果
各肺は、いくつかの独立した点音源から構成され、分散音源として処理しなければならない。この仮定の下で、アルゴリズムの性能を評価するために、空間的に分散した音源を合成した。このシミュレーションにおいては、２つの分散音源を合成した。各分散音源は、クロス空間シグネチャ（close spatial signature）を具備する４個の独立した点音源で構成された。それ故に、Ｃのコラム（列）は次のように選択された。
【数１１】
2007531573.tif 000013
（１３）
Ｃ１，Ｃ２は直交しており、
【数１２】
2007531573.tif 000014
式１２は正規直交グループである。εは、分散幅を決定する定数である。音源のベクトルX[n]は、８個の独立した音源を表す。それ故に、積Cx[n]は、２つの分散音源を表し、それぞれ４個の独立した音源から構成される。
【００６３】
インコヒーレントの分散音源仮定の下で、ＧＬＲＴの性能を検査するために、１個あるいは２個の分散音源の場合に対するＲの固有値の間の比較が行われる。図３において、Ｒの固有値は、Ｋ＝１とＫ＝２に対するεの関数として導き出される。図３から分かるように、音源が広く分散している時でも、音源信号のサブスペースの固有値は、ノイズのサブスペースの固有値とは分離できる。それ故に、肺はコヒーレントな音源のモデルとして機能しないにも関わらず、Ｒの第２の最高固有値を、実際の呼吸音信号のＯＬＩ状況の検出器として調べることができる。さらに、音源が広く分散している場合のしきい値は、ノイズレベルがσ２＝１よりも高くなければならない。
【００６４】
実験例５．実験結果
ＯＬＩ検出用に開示したモデルを検査するために、記録された呼吸のデータベースを確立した。データベースは、２４人の患者に関し２つの状態を手術室で記録されたものである。すなわち、チューブの先端がカリーナ（carina）の上方に配置された時の正しい呼吸期間中と、チューブの先端がカリーナの下側に配置され片肺のみが換気されている時のＯＬＩの状況の間である。
【００６５】
各実験の間、マイクが患者の背中に張り付けられ、図４に示すように、２つの状態で患者の呼吸音を記録した。記録された音でより高いＳＮ比を達成するために換気は機械的ではなく手動で実行され、チューブの実際の位置は、光学装置により毎時有効にされた。実験は、医療センター、ソロカ−イスラエル（Soroka - Israel）の主外科手術室で、外科手術の開始時に麻酔中に行われた。
【００６６】
呼吸信号のスペクトラム範囲外の不規則な背景ノイズ、例えばモニタのビープ音、医者の会話等の一部を減衰するために、記録された信号は、１００Ｈｚ−６００Ｈｚのバンド幅のバターワース（Butterworth）フィルタで濾過され、４ｋＨｚでサンプリングされた。
【００６７】
カットオフ周波数が６００Ｈｚのために、０．３倍のダウン・サンプリング操作が行われた。
【００６８】
各マイクロホンからの信号の振幅は、患者の身体上のマイクロホンの位置と、特定の患者の人体構造と、サンプリング・システムのゲインに依存する。それ故に、各チャネルの出力は異なる信号振幅になり、ノイズ分散σ２は、マイクロホン毎に異なることが分かった。この問題を処理するために、チャネルに対するノイズレベルによる各チャネルの正規化が行われた。
【００６９】
前述の方法は、手術室の周囲ノイズを低減させるのに十分であり、アルゴリズムそのものは、手術室の不規則な雑音に敏感でない方法で、ＯＬＩ状態を決定するのに十分頑強である。
【００７０】
この記録された呼吸信号は、ＯＬＩとＴＲＩの両方の状況を含む。呼吸信号は、４ｋＨｚのカットオフ周波数に限定され、データはそれぞれこの２０００サンプルのウインドウに分割され、その８０％がオーバーラップしている。ＡＩＣとＭＤＬは、実際のデータに適用された時には、最高に利用できるＡＲモデル・オーダを選択するために、１５の任意のＡＲオーダが計算の複雑さと利用できる処理時間を考慮して、設定された。未知のマトリックスＡとＲは、各ウインドウに対し、段落００５３−００５５に記載されたＭＬ予測器を用いて予測された。
【００７１】
図５は、処理前の４個のマイクロホンによって記録されたＯＬＩ状況とＴＲＩ状況の両方の呼吸サイクルを示す。この図から明らかなように、記録された音の振幅のみで、ＯＬＩの場合とＴＲＩの場合とを決定することは、単純な作業ではない。
【００７２】
図６は、ＲＭＬの第２の最高固有値を時間の関数と、図５に示す処理のプロセスの結果の関数として示す。図６から明らかなように、ＯＬＩとＴＲＩは、各呼吸サイクルの間、ＲＭＬの第２最高固有値により、区別される。提案されたアルゴリズムの結果は、２４個の実験に対して一定であった。
【００７３】
システムの性能の評価を、Leave some out methodを用いて、次のとおり実行した。システムをトレーニングするために、２０回の実験を行ってヒストグラムを抽出した。残りの４回の実験で、システムを有効にし、トレーニング・プロセスで抽出された統計値に従って、テストした。このプロセスは、６回繰り返し、各回毎に４個の有効実験からなる、異なるグループを用いた。その結果、有効化が、全部で２４個の実験で、「患者独立モード」で行われた。
【００７４】
ＯＬＩ検出には２種類のエラーが存在する。すなわち、Ｐｍｉｓｓで、ＯＬＩをＴＲＩと間違って検出する確率であり、もう１つはＰＦＡで、ＴＲＩをＯＬＩとして検出する確率である。ディテクション・エラー・トレードオフ（Detection Error Tradeoff (DET)）カーブは、これらのエラーを表示するための一般的な手法である。ＤＥＴカーブは、装置の性能に対する情報を与え、カーブ上の各ポイントは、あるしきい値に対するＰＦＡとＰｍｉｓｓを示す。実際のモニタリング・システムのしきい値は、システムの要求された感度に従って計算され、これは、システムの許容されたＰｍｉｓｓを考慮に入れて行われる。図７は、提案された決定システムのＤＥＴカーブを示し、これは上記の６回の繰り返しに従って計算された。イコール・エラー・レート（Equal Error Rate (EER)）ポイントは、ＤＥＴカーブ上のポイントとして定義され、Ｐｍｉｓｓ＝ＰＦＡは、４．８である。当然のことながら、より重要な指標は、ＰＦＡよりもＰｍｉｓｓである。それ故に、実際のシステムにおいては、ＤＥＴカーブ上の選択されたアクティビティ・ポイントは、Ｐｍｉｓｓ＝２％、ＰＦＡ＝９％のところにある。
【００７５】
実験例６．議論
実際的観ポイントから、これらの実験例は、ＯＬＩの検出の方法と装置を示す。本発明により、肺音をモニタすることによりＯＬＩを検出するアルゴリズムが開発された。アルゴリズムの性能を確認するために、ＯＬＩとＴＲＩにある患者から記録された呼吸音信号のデータベースが確立された。ＭＩＭＯ−ＡＲモデルを仮定し、残差共分散マトリックスの第２の最高固有値を特徴として選択することにより、実際の呼吸音信号からＯＬＩを検出する信頼性の高い方法を提供できる。
【００７６】
外科手術状態に応じて前処理を行わなければならないために、各マイクロホンに対する最適ゲインを設定できるようにするために、各外科手術の前にシステムをに自動的にトレーニングすることがが好ましい。
【００７７】
式（９）の証明。
未知のパラメータＡ、Ｒに対する式（８）の最大化は、対応する部分導関数をゼロに等しくすることにより、達成される。式（８）の最後の項のみは次の通りである。
【数１３】
2007531573.tif 000015
（１４）
この式（１４）は、Ａに対するログ尤度（log-likelihood）の導関数を計算することに関連する。マトリックスＢに対するスカラーａの導関数は次の通りである。
【数１４】
2007531573.tif 000016
ここで、以下の恒等式を用いた。
【数１５】
2007531573.tif 000017
（１５）
（１６）
Ａが正方形マトリックスで、ｆ（Ａ）がスカラー関数の場合には、次式となる。
【数１６】
2007531573.tif 000018
（１７）
Ａが正方可逆マトリックスの場合には、次式となる。
【数１７】
2007531573.tif 000019
（１８）
かくして、次式が得られる。
【数１８】
2007531573.tif 000020
（１９）
（２０）
ＡとＲのＭＬ予測器を見出すために、上記の導関数は、ゼロに等しくなければならない。Ｒは共分散マトリックスであるので、Ｒ＝ＲＴと、Ｒ−１＝Ｒ−Ｔである。それ故に、次の２つの未知のマトリックス変数ＡとＲ−１とを有する２個のマトリックス式が得られる。
【数１９】
2007531573.tif 000021
（２１）
（２２）
式（２２）は、次のように単純化できる。
【数２０】
2007531573.tif 000022
（２３）
式２０のマトリックスは、
【数２１】
2007531573.tif 000023
が可逆であると仮定すると、式（２１）からのＡを取り出すことにより、式（９ａ）となる。式（９ａ）を式（２３）の最後の項に代入し、Ｒを取り出すと、式（９ｂ）となる。
【００７８】
式（１０）の証明。
ＡとＲを式（８）に代入することにより、式（２４）となる。
【数２２】
2007531573.tif 000024
（２４）
式（２４）の加算の項はスカラーであり、それ故に、トレース操作がそれに対し実行できる。
【数２３】
2007531573.tif 000025
（２５）
式（２５）の５番目の式は、式（９ｂ）を代入することにより得られる。
マトリックスの行列式は、そのその固有値の積である。それ故に、
【数２４】
2007531573.tif 000026
を思い出すと、降順（ｌ１＞ｌ２＞・・・＞ｌＬ）内の
【数２５】
2007531573.tif 000027
内の固有値は次のように単純化される。
【数２６】
2007531573.tif 000028
（２６）
非特許文献１８で解るように、Ｒの最小Ｌ−Ｋ固有値を用いて、σ２を予測する。それ故に、式（２６）は次のように変形できる。
【数２７】
2007531573.tif 000029
（２７）
σ２が既知であると仮定しているので、式（２７）の予測の代わりに、代入され、それ故に、式（２７）は次式となる。
【数２８】
2007531573.tif 000030
（２８）
式（２５）と式（２８）を式（２４）に代入することにより、式（１０）となる。
【００７９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００８０】
【図１】代表的なＭＩＭＯ ＡＲモデルを表すブロック図。
【図２】コヒーレント・音源のＧＬＲＴのＰｅのグラフ。
【図３】散乱レベルεと固有値Ｒとの関係を表すグラフ。
【図４】本発明の一実施例による、患者の背中に取り付けられたマイクロホンの位置を表し、ＴＲＩの状態を示す。
【図５】片肺挿管（ＯＬＩ）と気管支挿管（ＴＲＩ）の両方の場合の記録された呼吸サイクルを表す図。
【図６】片肺挿管（ＯＬＩ）と気管支挿管（ＴＲＩ）の両方の場合に対する時間の関数としてのＲの第２最大固有値を表す図。
【図７】予測されたＲの第２最大固有値に基づいた検出器のＤＥＴを表す図。
【図１】
2007531573.tif 000031
【図２】
2007531573.tif 000032
【図３】
2007531573.tif 000033
【図４】
2007531573.tif 000034
【図５】
2007531573.tif 000035
【図６】
2007531573.tif 000036
【図７】
2007531573.tif 000037
【国際調査報告】
2007531573.tif 000038